(57)【要約】      （修正有）【課題】足のアーチを矯正可能な履物を提供する。【解決手段】足が地面に接地した際に踵側に対してつま先側が高い状態に足裏を傾斜状態に、つま先側から踵側にむかって厚さを減少するように弾性体からなるソール３が傾斜している。ソール３は、少なくとも、第三中足骨と第二中足骨、第四中足骨の少なくとも半分までを含む範囲を除き、第一中足骨の拇趾球直下から拇趾及び小趾の全部を含み、かつ第二中足骨、第四中足骨の多くても半分までを含む範囲に、ソールの他の範囲よりも柔軟性が高くかつ弾性が低くされた衝撃吸収性の材質で構成された沈降部が設けられている。【選択図】図１
0003224134.tif 000002
【実用新案登録請求の範囲】
【請求項１】
足が地面に接地した際に踵側に対してつま先側が高い状態に足裏を傾斜状態に、つま先側から踵側にむかって厚さを減少するように弾性体からなるソールが傾斜しており、前記ソールは、少なくとも、第三中足骨と第二中足骨、第四中足骨の少なくとも半分までを含む範囲を除き、第一中足骨の拇趾球直下から拇趾及び小趾の全部を含み、かつ第二中足骨、第四中足骨の多くても半分までを含む範囲に、ソールの他の範囲よりも柔軟性が高くかつ弾性が低くされた衝撃吸収性の材質で構成された沈降部が設けられていることを特徴とする履物。
【請求項２】
請求項１の履物において、前記ソールは、アウトソールとインソールとを具備し、前記アウトソールは足の側面から甲にかけて包む履物本体と接続されており、インソールは履物本体の中から取りだし可能であって、かつ、前記沈降部は前記インソールに設けられていることを特徴とする履物。
【請求項３】
履物の内部から取りだし可能なインソールであって、足が地面に接地した際に踵側に対してつま先側が高い状態に足裏を傾斜状態に、つま先側から踵側にむかって厚さを減少するように弾性体からなるソールが傾斜しており、前記ソールは、少なくとも、第三中足骨と第二中足骨、第四中足骨の少なくとも半分までを含む範囲を除き、第一中足骨の拇趾球直下から拇趾及び小趾の全部を含み、かつ第二中足骨、第四中足骨の多くても半分までを含む範囲に、ソールの他の範囲よりも柔軟性が高くかつ弾性が低くされた衝撃吸収性の材質で構成された沈降部が設けられているインソール。
【考案の詳細な説明】
【技術分野】
【０００１】
本考案は、前方横アーチを刺激し外側縦アーチ、内側縦アーチ全体を矯正に用いる履物に関するものである。
【背景技術】
【０００２】
人間の足裏には前方横アーチ、外側縦アーチ、内側縦アーチのアーチ構造が備えられている。図４Ａにおいて、前方横アーチＦＡ、外側縦アーチＯＡ、内側縦アーチＩＡを示した。運動不足などによりアーチ構造が崩れてしまうと足に加わる衝撃を十分に吸収できなくなることで、疲れやすくなるなどの問題があり、それを解消する為に、足が接する面をアーチ形状にさせた履物や中敷きが提案されている（特許文献１）。また、歩行時にアキレス腱を伸ばし、健康増進、リハビリ等を行うため、履物底について、つま先側を踵側よりも高く構成した履物が提案されている（特許文献２）。また、つま先側を踵側よりも高くした履物であって、アキレス腱を伸ばす量を自由に変更できるようにした履物が提案されている（特許文献３）。
【０００３】
さらに、出願人による特許文献４においては、足が地面に接地した際に踵側に対してつま先側が高い状態に足裏を傾斜状態に前記履物のソールにより支持し、少なくとも親指の直下のソール部分を柔軟材料若しくは弾性素材で形成し、前記ソールの親指を他の指から離間させる若しくは前記ソールの親指の範囲を他の指の範囲に対して独立して動くようにして、足が地面を蹴り出す際に親指を他の指から分離して沈み込ませることにより足の前方横アーチを強制的に動かすことで筋力をトレーニングすることが開示されている。
【先行技術文献】
【特許文献】
【０００４】
【特許文献１】特開２０１５−９２８９６号公報
【特許文献２】特開平９−１４０４０８号公報
【特許文献３】実用新案登録第３０６３１４７号公報
【特許文献４】特開２０１７−１３６２７６号公報
【考案の概要】
【考案が解決しようとする課題】
【０００５】
しかし、アーチ構造の崩れを解消するには運動により筋肉を鍛える必要があるが、従来の履物で歩いただけでは、砂浜の歩き難さや、山道での上り坂環境で得られる効率的な筋力強化を得られるものではない。又、無意識のうちに筋肉の使い方に特殊なくせがつき、歩行時の体重移動が正常にできなくなっている場合もある。
本考案は、体重移動が正しく行われていないことを本人に意識付けをするとともに、平らな道の散歩でありながら、砂浜や上り坂を体現して、抗重力筋を正しく強化するトレーニングする方法及びそれに用いる履物を提供することを目的とする。
【課題を解決するための手段】
【０００６】
上記目的を達成するために、足が地面に接地した際に踵側に対してつま先側が高い状態に足裏を傾斜状態に、つま先側から踵側にむかって厚さを減少するように弾性体からなるソールが傾斜しており、前記ソールは、少なくとも、第三中足骨と第二中足骨、第四中足骨の少なくとも半分までを含む範囲を除き、第一中足骨の拇趾球直下から拇趾及び小趾の全部を含み、かつ第二中足骨、第四中足骨の多くても半分までを含む範囲に、ソールの他の範囲よりも柔軟性が高くかつ弾性が低くされた衝撃吸収性の材質で構成された沈降部が設けられていることを特徴とする。
【考案の効果】
【０００７】
本考案によれば、拇趾球Ｄ直下から最後の拇趾の踏み出しまでの間、沈降部による沈み込むは続くことになり、歩くだけで拇趾球Ｄ直下から先の上下運動が可能であり、この運動により、前方横アーチＦＡが強制的に動かされ、足の内側で重心移動が出来ない人であってもアーチを矯正できる。また、足の外側で重心移動を行う人であっても、沈降部により、小趾球直下が大きく沈むため、小趾球側に重心が移った状態で歩いていることを気付かせることができる。また、小趾球Ｅ直下が沈み込まないよう、かつ足の内側から沈み込ませるように訓練することにより、重心移動を修正することができる。
【図面の簡単な説明】
【０００８】
【図１】実施例１の履物を示す図であり、図１Ａは中敷きを挿入したときの断面図、図１Ｂは中敷きを取り出したときの断面図である。
【図２】実施例１に係る履物のインソールを示す斜視図であり、図２Ａは全体図、図２Ｂは表層部を一部めくった状態を示す斜視図、図２Ｃは両サイドの沈降部をソール基体から分離した状態の斜視図である。
【図３】インソールの構造の詳細を説明する図であり、図３Ａはインソールの平面図、図３ＢはＸＸ断面図、図３ＣはＹＹ断面図、図３ＤはＺＺ断面図、図３Ｅは足の骨との位置関係を示す図である。
【図４】作用を示す図であり、図４Ａは足裏の重心移動軌跡を示し、図４Ｂは一般の履物による歩行状態を示し、図４Ｃは実施例の履物による歩行状態を示した図である。
【図５】実施例による履物の作用を示す図であり、図５Ａは無負荷時の図、図５Ｂは内側への体重移動時の作用を示す図、図５Ｃは外側への体重移動時の作用を示す図である。
【考案を実施するための形態】
【０００９】
履物１は履物本体２とソール３とを有している。ソール３は、アウトソール３１とインソール３２とからなっている。インソール３２は、つま先から踵までの間にかけて厚さの変動が多少あっても良いが、ほぼ平面状である。履物本体２は、足の側面から甲にかけて包む部分であり、つま先部が通常の履物よりも高さｈの高い内部空間が形成されている。インソール３２は、履物本体２内部から取り外し可能である。インソール３２の厚さはつま先側から踵側にむかって厚さを減少するように傾斜している。インソール３２を装着した履物１を掃くと、足が接地するときにはインソール３２の上側の面は、つま先側が高く、踵側が低く傾斜するようになっている。
【００１０】
図２に、実施例１に係る履物１のインソール３２を示す。図２Ａは全体図、図２Ｂは表層部３６を一部めくった状態を示す斜視図、図２Ｃは沈降部３４、３５とソール基体３３を分離した状態の斜視図である。インソール３２は、ソール基体３３と沈降部３４、３５とを有し、足の裏に当たる表面に表層部３６が設けられている。ソール基体３３は、柔軟性が乏しく固い弾性素材である発泡ゴムからなり、つま先側の両サイドに沈降部３４、３５が設けられている。沈降部３４、３５は、ソール基体３３よりもさらに柔軟性が高くかつ弾性が低い素材で形成されている。本実施例の場合、沈降部３４、３５の材質は、軟質ウレタンフォームの一種であって柔軟性を上げ、弾性を低くし、ヒステリシスロス率の大きい衝撃吸収性を有している。また、反発弾性率は、１５％程度以下と非常に小さい低反発弾性フォームである。表層部３６は、ソール基体３３及び沈降部３４、３５に接着されており、ソール基体３３及び沈降部３４、３５の変形に追従して変形可能である。
【００１１】
沈降部３４、３５は、ソール基体３３と接着されていても、されていなくても良いが、本例においては、両者は接着されている。図３はインソール３２の構造の詳細を説明する図であり、図３Ａはインソール３２を上から見た平面図、図３ＢはＸＸ断面図、図３ＣはＹＹ断面図、図３ＤはＺＺ断面図、図３Ｅは足の骨との位置関係を示す図である。図３Ｅにおいては、インソール３２が太線により示されている。
【００１２】
まず、図３Ｅにより、インソール３２の沈降部３４、３５と足の骨の位置関係を説明する。  インソール３２は、履物１のつま先から踵まで、履物１の内側底面を覆うように形成されている。インソール３２の接地面側は、アウトソール３１とのなじみを良くし、かつ滑りにくくなるような処理が施されている。例えば、無数の凹凸形状が形成される。
【００１３】
人間の足裏には前方横アーチＦＡ、外側縦アーチＯＡ、内側縦アーチＩＡのアーチ構造が備えられているが、このうち、前方横アーチＦＡは、拇趾球Ｄ（拇趾のつけ根）と、小趾球Ｅ（小趾のつけ根）を両端とし、上方に反ったアーチ構造であり、筋肉や靱帯によって構成されるものである。より厳密には、前方横アーチＦＡは、第一中足骨の骨頭部分（拇趾球Ｄ）を始端とし、第二中足骨、第三中足骨Ｈ、及び第四中足骨の骨頭部分を通り、第五中足骨の骨頭部分（小趾球Ｅ）を終端としている。
【００１４】
インソール３２の両サイドの沈降部３４、３５は、夫々、拇趾球Ｄと小趾球Ｅの直下にあたる部分から拇趾の先端、小趾の先端を含む範囲に形成されている。沈降部３４、３５は、それぞれ拇趾及び小趾の全部を含む範囲、そして第二中足骨、第四中足骨の多くても半分までを含む範囲に設けられている。このため、拇趾球Ｄと小趾球Ｅとの間の前方横アーチＦＡの直下にあたる部分（足の第三中足骨Ｈ、および第二中足骨、第四中足骨の少なくとも半分）には、沈降部３４、３５が形成されていない。拇趾及び小趾の全部を含む範囲、そして第二中足骨、第四中足骨の多くても半分までを含む範囲である沈降部３４、３５を除いた他の箇所においてはソール基体３３の低い柔軟性かつ固い弾性が足の裏の荷重を支えるのである。
【００１５】
図３Ａにおいて、図３Ｂ−図３Ｄにおいて、示す断面の位置を示す。図３Ｂは拇趾球Ｄを担当する沈降部３４を含む部分においてつま先から踵までを切断したＸＸ断面を示しており、図３Ｃは足の第三中足骨Ｈを含む部分においてつま先から踵までを切断したＹＹ断面を示しており、図３Ｄは小趾球Ｅを担当する沈降部３５を含む部分においてつま先から踵までを切断したＺＺ断面を示している。いずれの断面においても、沈降部３４、３５を含んで、つま先側から踵側にむかって厚さを減少するように傾斜している。
【００１６】
図４は、履物１の作用を示す図であり、図４Ａは、足裏の重心移動の軌跡を示している。また、図４Ｂには一般的な履物１０を履いた際の歩行の様子を、図４Ｃは本実施例に係る履物１を履いたときの足の動きを示している。図４Ａにおいて、重心は足裏が接地すると踵から拇趾に向かって重心軌跡Ｓ１に示すような軌跡で重心Ｇが移動する。このような重心移動が正常であるが、かかとの外側や内側で接地し、足裏の外側だけ或いは内側だけを使って重心を移動する場合も少なくない（図では、内側で接地し、外側だけを使って重心を移動する場合、重心軌跡Ｓ３と、外側で接地し、打ち側だけを使って重心を移動する場合、重心軌跡Ｓ２を示した）。
【００１７】
図４Ｂと図４Ｃを比較すると、足が地面に接地した場合には（図中ｐ）、フラットな履物１０では重心は真下にかかるが、つま先側が高く踵側が低く傾斜した特許文献２や３の履物と同様に履物１では重心Ｇの真下に接地した足がこないから、胸を張って重心を前に出そうと反射する。接地した足が後側にくると（図中ｑ）つま先の関節が曲がってゆく。重心Ｇは次第につま先に移ってゆく。フラットな履物１０では蹴り出しの準備がされるが、履物１ではつま先が高く設定されるため、つま先がソール３を押し付けてゆく。前側の足が地面に接地すると（図中ｒ）、フラットな履物１０では蹴り出しが行われるが、履物１では、後側の足に重心Ｇが残った状態で蹴り出しが行われる。図４に示す足の動きは、標準的な動きであるが、足の裏を接地したままで歩行したり、歩幅が狭い老人に対しても、つま先側が高く踵側が低く傾斜することで、足先により自然に多くの体重がかかるように作用する。
【００１８】
図５は、実施例による履物１の作用を示す図であり、図４Ｅにおける前方横アーチＦＡ直上の断面（ＰＰ断面）を模式的に示した図である。図５Ａは無負荷時の図、図５Ｂは内側への体重移動時（重心軌跡Ｓ１、Ｓ２）の作用を示す図、図５Ｃは外側への体重移動時の作用（重心軌跡Ｓ３）を示す図である。
【００１９】
図５Ｂにおいて、図４Ｃのｑの状態に足があると、踏み込んだ際に重心がつま先に移る。インソール３２の拇趾球Ｄ側の沈降部は、拇趾球Ｄの位置に重心が来ているため、拇趾球Ｄ直下は大きく沈む。一方、拇趾球Ｄ直下を中心とした範囲は、ソール基体３３の固い弾性体により沈降は押さえられるため、拇趾球Ｄ直下の沈み込み量は、さらに大きなものになる。そして、拇趾球Ｄ直下から最後の拇趾の踏み出しまでの間、この沈み込むは続くことになる。この結果、歩くだけで拇趾球Ｄ直下から先の上下運動が可能となり、この運動により、前方横アーチＦＡが強制的に動かされ、アーチを矯正できる。
【００２０】
図５Ｃにおいて、図４Ｃのｑの状態に足があると、踏み込んだ際に重心がつま先に移る。インソール３２の小趾球Ｅ側の沈降部３５は、小趾球Ｅの位置に重心が来ているため、小趾球Ｅ直下は大きく沈む。第三中足骨Ｈを中心とした範囲は、ソール基体３３の固い弾性体により沈降は押さえられるため、小趾球Ｅ直下の沈み込み量は、さらに大きなものになる。外側への体重移動時には、殆どの場合、小趾球Ｅ直下の位置から踏み出しが行われるため、この結果、履物１の着用者には、小趾球Ｅ側に重心が移った状態で歩いていることを気付かせることができる。また、小趾球Ｅ直下が沈み込まないよう、かつ足の内側から沈み込ませるように訓練することにより、重心移動を修正することができる。
【００２１】
本実施例によれば、拇趾球Ｄ側の沈降部３４は第一中足骨の位置まで範囲に含めている。そのため、拇趾の踏み込みが出来ない人も拇趾球Ｄ直下の位置の踏み込みは可能であり、拇趾球Ｄ直下の沈降を意識付けるため、より多くの人の矯正が可能になる。また、インソール３２は、履物本体２内部から取り外し可能であるため、沈降部３４、３５の低反発性を調整することが可能である。また、汚れた場合に、洗うことも可能である。
【００２２】
また、インソール３２は履物本体２内部から取り外し可能であるため、拇趾による蹴り出しが可能になったのならば、拇趾の部分だけ沈降するように沈降部３４の範囲を限定したインソールに交換することにより、特許文献４の実施例に開示したようにしてもよい。この場合、履物本体２のつま先部先端の空間が大きく作られているため、アウトソール３１と履物本体２は、そのまま使用可能である。
【００２３】
本実施例においては、ソール３は、アウトソール３１とインソール３２とから構成したが、アウトソール３１とインソール３２との間にミッドソールを入れても良い。アウトソール３１とミッドソールとインソール３２を合わせた厚さがつま先側から踵側にむかって厚さを減少するように傾斜していればよい。逆に、インソール３２を取り外し可能とせずに、アウトソール３１とインソール３２とを一体化しても良い。
【符号の説明】
【００２４】
１、１０    履物
２    履物本体
３    ソール
３１  アウトソール
３２  インソール
３３  ソール基体
３４、３５  沈降部
３６  表層部
【図１】
0003224134.tif 000003
【図２】
0003224134.tif 000004
【図３】
0003224134.tif 000005
【図４】
0003224134.tif 000006
【図５】
0003224134.tif 000007